(57)【要約】【課題】  屋根の壁際への防水シートの設置が現場設置形状に適合するように、容易に施工できる壁際用防水シートを提供すること。【解決手段】  耐引き裂き性と熱収縮性を有するエラストマーシート１を、粘着剤２を用いてアルミ箔３の表面側に貼り合わせ、該アルミ箔３の裏面側に、樹脂系塗料４をコーティングした多層防水シート５を用いる壁際用防水シート４０であって、長手方向の延伸性が１２５％〜１７５％であり、横手方向の延伸長さが１０ｍｍ〜８０ｍｍであることを特徴とする。【選択図】  図３
2010037736.tif 000002
【特許請求の範囲】
【請求項１】
耐引き裂き性と熱収縮性を有するエラストマーシートを、粘着剤を用いてアルミ箔の表面側に貼り合わせ、該アルミ箔の裏面側に、樹脂系塗料をコーティングした多層防水シートを用いる壁際用防水シートであって、
長手方向の延伸性が１２５％〜１７５％であり、横手方向の延伸長さが１０ｍｍ〜８０ｍｍであることを特徴とする、壁際用防水シート。
【請求項２】
耐引き裂き性と熱収縮性を有するエラストマーシートを、粘着剤を用いてアルミ箔の表面側に貼り合わせ、該アルミ箔の裏面側に、樹脂系塗料をコーティングした多層防水シートを用いる壁際用防水シートであって、
長手方向の中央付近に、長手方向に折り目を設けたことを特徴とする、壁際用防水シート。
【請求項３】
前記長手方向の折り目からみて、屋根材に接着する裾部側について、長手方向折返し重合せ部を延伸させない状態の横手方向の長さが７０mm〜１２０mmであることを特徴とする、請求項２記載の壁際用防水シート。
【請求項４】
耐引き裂き性と熱収縮性を有するエラストマーシートを、粘着剤を用いてアルミ箔の表面側に貼り合わせ、該アルミ箔の裏面側に、樹脂系塗料をコーティングした多層防水シートであって、当該多層防水シートの長手方向の途中に該長手方向と直交する横手方向にわたって横手方向折返し重合せ部を形成し、該長手方向にわたって長手方向折返し重合せ部を形成した屋根用防水シートを用いてなる壁際用防水シートであって、
前記壁際用防水シートの長手方向折返し重合せ部は、壁際一段目の瓦と壁面との間隔が開いている場合に、当該間隔に対応して当該長手方向折返し重合せ部を展開して施工することにより、当該間隔を当該壁際用防水シートによって被覆できるように構成したことを特徴とする、壁際用防水シート。
【請求項５】
耐引き裂き性と熱収縮性を有するエラストマーシートを、粘着剤を用いてアルミ箔の表面側に貼り合わせ、該アルミ箔の裏面側に、樹脂系塗料をコーティングした多層防水シートであって、当該多層防水シートの長手方向の途中に該長手方向と直交する横手方向にわたって横手方向折返し重合せ部を形成し、該長手方向にわたって長手方向折返し重合せ部を形成した屋根用防水シートを用いてなる壁際用防水シートの設置方法であって、
当該壁際用防水シートの設置される壁際には、屋根面と壁面の近傍に薄板木材とＬ字形板金が設けられる壁際において、
前記壁際用防水シートの中央部から横手方向の一方を、壁面に固定する工程と、
前記壁際用防水シートの横手方向の他方をなす裾部側を、屋根面と壁面の接線から所定距離離れた壁際１段目の屋根材に粘着テープで接着する工程と、
当該裾部側縁部の上に、薄板木材をビスで固定する工程と、
壁際用防水シートと薄板木材をＬ字形板金が覆う状態に施工する工程と、
を有することを特徴とした壁際用防水シートの設置方法。
【請求項６】
耐引き裂き性と熱収縮性を有するエラストマーシートを、粘着剤を用いてアルミ箔の表面側に貼り合わせ、該アルミ箔の裏面側に、樹脂系塗料をコーティングした多層防水シートであって、当該多層防水シートの長手方向の途中に該長手方向と直交する横手方向にわたって横手方向折返し重合せ部を形成し、該長手方向にわたって長手方向折返し重合せ部を形成した屋根用防水シートを用いてなる壁際用防水シートであって、当該壁際用防水シートの長手方向の中央部に折り目の設けてある壁際用防水シートの設置方法であって、
当該折り目に沿って、前記壁際用防水シートを「く」の字形に屈折させる工程と、
前記折り目部を屋根面と壁面の接線に沿って長手方向に設置する工程と、
前記壁際用防水シートの壁面側の剥離紙を剥がして粘着テープで壁面に接着する工程と、
前記壁際用防水シートの裾部側の剥離紙を剥がして粘着テープで屋根材の山部に接着する工程と、
前記屋根材の谷部は、長手方向折返し重合せ部を、裾を雨押え板金の内側に納まるように横手方向に延伸させながら屋根材の谷部に沿うように長手方向に延伸させながら接着する工程と、
を有することを特徴とした壁際用防水シートの設置方法。
【請求項７】
耐引き裂き性と熱収縮性を有するエラストマーシートを、粘着剤を用いてアルミ箔の表面側に貼り合わせ、該アルミ箔の裏面側に、樹脂系塗料をコーティングした多層防水シートであって、当該多層防水シートの長手方向の途中に該長手方向と直交する横手方向にわたって横手方向折返し重合せ部を形成し、該長手方向にわたって長手方向折返し重合せ部を形成した屋根用防水シートを用いてなる壁際用防水シートの設置方法であって、
前記壁際用防水シートの長手方向の中央部にある折り目に沿って、「く」の字形に屈折させる工程と、
前記折り目部を屋根面と壁面の接線に沿って長手方向に設置する工程と、
前記壁際用防水シートの裾部側の剥離紙を剥がして粘着テープで屋根材の山部に接着する工程と、
前記屋根材の谷部は、長手方向折返し重合せ部を、裾を雨押え板金の内側に納まるように横手方向に延伸させながら屋根材の谷部に沿うように長手方向に延伸させながら接着し、壁際用防水シートの壁面側の剥離紙を剥がして粘着テープで壁面に接着する工程と、
を有することを特徴とした壁際用防水シートの設置方法。
【請求項８】
耐引き裂き性と熱収縮性を有するエラストマーシートを、粘着剤を用いてアルミ箔の表面側に貼り合わせ、該アルミ箔の裏面側に、樹脂系塗料をコーティングした多層防水シートであって、当該多層防水シートの長手方向の途中に該長手方向と直交する横手方向にわたって横手方向折返し重合せ部を形成し、該長手方向にわたって長手方向折返し重合せ部を形成した屋根用防水シートを用いてなる壁際用防水シートの設置方法であって、
当該壁際用防水シートの設置される壁際には、屋根面と壁面の近傍に薄板木材、面戸形板金板、並びにＬ字形板金が設けられる壁際において、
前記壁際用防水シートの中央部から横手方向の一方を、壁面に固定する工程と、
前記壁際用防水シートの横手方向の他方をなす裾部側は、屋根面と壁面の接線から所定距離離れた壁際１段目の屋根材に粘着テープで接着する工程と、
当該裾部側の上に、薄板木材をビスで固定する工程と、
屋根材の凹部の隙間を覆う面戸形板金板を薄板木材に仮固定する工程と、
壁際用防水シートと薄板木材をＬ字形板金が覆う状態に施工する工程と、
を有することを特徴とした壁際用防水シートの設置方法。
【請求項９】
請求項５乃至請求項８記載の壁際用防水シートの設置方法を用いて、建造物の壁際を施工したことを特徴とする建造物。
【発明の詳細な説明】
【技術分野】
【０００１】
本発明は、建造物の屋根のうち壁際の被覆に用いられる壁際用防水シートに関し、特に複雑な形状の被覆領域に対しても非常に長期間に渡って保形性と防水性を維持できる壁際用防水シートに関する。また、本発明は、建造物の屋根のうち壁際に壁際用防水シートを用いて施工する壁際用防水シートの設置方法に関する。また、本発明は、壁際に壁際用防水シートを用いて施工する壁際用防水シートの設置方法を用いた建造物に関する。
【背景技術】
【０００２】
従来の日本における木造一戸建て住宅や土蔵等の木造建築物においては、瓦屋根の棟部や壁まわりに使用する面戸材として、石灰と砂と粘土等を混練した、屋根土が一般的に用いられている（特許文献１参照）。このように屋根土が用いられているのは、日本においては良質の粘土が容易に得られていた為であり、このような事情は地域的・文化的事情が共通している韓国や中国においても同様であると考えられている。
【０００３】
他方、ヨーロッパにおいては事情が異なり、特にドイツのように日本と比較して寒冷な地域では、暖房のための暖炉の煙突が屋根から突出した形態となるため、瓦屋根と煙突との接合部に、ポリイソブチレン樹脂とアルミの金属網を積層した壁際用の防水シートを使用することが提案されている（特許文献３）。また日本においても、屋根に換気用開口部を設ける類型の住宅が提案されており、このような換気用開口部の防水シール材として、スポンジを用いた面戸材（特許文献２）が提案されている。このようなスポンジには、例えばＥＰＤＭ（Ｅｔｈｙｌｅｎｅ  Ｐｒｏｐｙｌｅｎｅ  Ｍｅｔｈｙｌｅｎｅ  Ｌｉｎｋａｇｅ・エチレンプロピレンゴム）やブチルゴムなどの合成ゴムを材料とするスポンジが用いられる（特許文献４［００２１］参照）。
【０００４】
さらに、屋根に天窓を設ける類型のプレハブ住宅が提案されており、このような天窓用には屋根土と比較して軽量である防水シートが提案されている（特許文献４）。この天窓用防水シートは、架橋ゴム又は樹脂製シートに対して、変形可能で自己保形性を備えた金属シートを積層固定した屋根用防水シートにおいて、幅方向から直交する方向に亙って折り返し重合部を形成したものである。
【０００５】
【特許文献１】特許第３１９６０５８号
【特許文献２】特開２００５−３２５５９２
【特許文献３】ＤＥ  ３６４２０６３Ａ１
【特許文献４】特許第３７０２２７７号
【発明の開示】
【発明が解決しようとする課題】
【０００６】
現在、屋根の棟部や壁際の防水施工には、大きく分けて二種類の材料と工法が存在しており、その夫々で課題が存在している。第一類型は、湿式施工である（特許文献１）。しかし、湿式施工における内在的制約として、使用されている屋根土は、施工に作業者の技能と施工時間を要すると共に、重量物であるため、木造建築物の耐震性を弱める原因となっていた。また、良質の粘土が長年の採掘によって掘り尽くされてきており、原材料の手配が困難になりつつある。
【０００７】
第二類型は、乾式施工であり、上記の特許文献２〜４で、各々の提案がされているが、各乾式施工は完璧なものではなく、其々固有の課題を有している。まず、特許文献２で開示されているスポンジを用いた面戸材に関しては、スポンジ部分が鳥によって突かれるという鳥害があることに加え、屋根材の凹凸に隙間なく施工することが困難という課題もあった。
【０００８】
続いて、特許文献４で開示されている防水シートでは、耐水性を備えた可撓性シートを長手方向に対し、直角方向に屈折積層し、壁と瓦との防水材に使用するものである。しかし、屋根の棟や壁際への防水シートの設置を検討する場合、上述したように、様々な意匠の屋根材や屋根勾配があるため、高さの調整ができることが望ましい。また、屋根の棟や壁際は一般的に作業者が手で屋根材の凹凸に沿わせて施工するが、木槌などで軽く叩いて防水シートを整形することが好ましい場合もあるところ、防水シートの材質が厚く硬いと、折り返し重合部の間隔も大きくせざるを得ず、作業者が隙間無く防水シートを延伸する作業は容易ではない。
【０００９】
さらに、防水シートのアルミ箔は、屋根のように直射日光が照射される過酷な環境のもとで、数十年にわたりその防水性能を維持することが望ましいが、数十年というスパンではアルミ箔は湿気等に対して腐食してしまい、再度の施工に耐えることが出来ないという課題がある。従来の日本においては、住宅の量的充足が叫ばれ、その寿命に関しては木造住宅の固定資産税の評価上の耐用年数である２３年程度確保されれば足りるとする見解もあったが、近年の資源価格の高騰などから百年住宅の必要性も認識されつつあり、防水シートにおいても寿命が長いほうが良いことは言うまでもない。
【００１０】
さらに、乾式施工に共通する課題として、いずれもブチルテープやアクリルテープなどの粘着剤を瓦等の屋根材に接着させる工法を採用するのが一般的であるため、経年後の屋根材からの剥離が生じる課題があつた。
【００１１】
本発明は上述した課題を解決するもので、第一の発明は、屋根の壁際への防水シートの設置が現場設置形状に適合するように、容易に施工できる壁際用防水シートを提供することを目的とする。第二の発明は、建造物の壁際に壁際用防水シートを用いて施工する場合に用いて好適な、壁際用防水シートの設置方法に関する。
【課題を解決するための手段】
【００１２】
上記課題を解決する本発明に用いられる多層防水シートは、例えば図１に示すように、耐引き裂き性と熱収縮性を有するエラストマーシート１を、粘着剤２を用いてアルミ箔３の表面側に貼り合わせ、該アルミ箔３の裏面側に、樹脂系塗料４をコーティングしたことを特徴とするものである。
【００１３】
本多層防水シートによれば、エラストマーシート１が可塑性を有すると共に耐久性を有しているので、屋根用の防水シートとしての用途に適する。アルミ箔３は、エラストマーシート１を貼り合せて積層させることで、保形性・断熱性・防火性を多層防水シートに付与すると共に、エラストマーシート１が熱収縮性である場合の、熱収縮防止ができる。粘着剤２は、エラストマーシート１とアルミ箔３との二層間の接着をするもので、併せて折り曲げ加工の際に生じる当該二層間に起こる応力を緩和して、折り曲げ加工を容易にする。樹脂系塗料４をコーティングしているので、耐久性や耐食性を向上させるという通常の目的を達成すると共に、仮に多層防水シート５の被覆対象となる屋根形状や壁際形状が突端のような曲率の大きな形状であるため、多層防水シート５を極端に変形させて被覆する必要がある場合でも、アルミ箔３が破れてしまうことを防止でき、防水性が高まる。
【００１４】
好ましくは、本多層防水シートにおいて、更に、エラストマーシートは、クロロスルフォン化ポリエチレンまたはＥＰＤＭであることを特徴とする。このように構成された多層防水シートによれば、クロロスルフォン化ポリエチレンまたはＥＰＤＭは、耐久性を有しているので、エラストマーシートの耐久性を高め、屋根用の防水シートとしての用途に適する。特に、クロロスルフォン化ポリエチレンは、優れた着色性を有するため、屋根材の色に自在に対応ができる。さらに、クロロスルフォン化ポリエチレンは、耐熱性、耐焔性、耐寒性、耐屈曲性、耐塩性等々に優れているため、寒冷地や熱帯地、防火地域、強風地、塩害地でも地域を問わず使用が可能で、屋根用の防水シートとしての用途に適する。
【００１５】
好ましくは、本多層防水シートにおいて、更に、クロロスルフォン化ポリエチレンシートには、未架橋であることを特徴とする。このように構成された多層防水シートによれば、クロロスルフォン化ポリエチレンシート１は架橋工程を必要としないため、安価に提供できるだけでなく、常温環境で自然架橋するため、屋根用防水シートとして使用できる。未架橋クロロスルフォン化ポリエチレンは、自然界で自然架橋するクロロスルフォン化ポリエチレンであるため、本多層防水シート５のアルミ箔の表面側に貼り合わせているので、当該多層防水シートを被覆対象となる屋根形状や壁際形状に適合させて、多層防水シートを変形させても、その後の自然架橋の過程でその変形された状態で固化するため、保形性が維持できる。
【００１６】
好ましくは、本多層防水シートにおいて、更に、クロロスルフォン化ポリエチレンシートは、ゴムの架橋を促進する薬剤を含まないことを特徴とする。ゴムの架橋を促進する薬剤を含まないので、当該多層防水シートを被覆対象となる屋根形状や壁際形状に適合させて、多層防水シートを変形させても、その後の長期間に渡る自然架橋の過程でその変形された状態で固化するため、保形性が維持できる。
【００１７】
好ましくは、本多層防水シートにおいて、更に、クロロスルフォン化ポリエチレンシートは、厚さが０．１５ｍｍ〜０．４５mmであることを特徴とする。クロロスルフォン化ポリエチレンシートが薄い場合には、多層防水シートの製造に汎用のラミネート加工装置等を用いることができ、製造コストが安価になる。
【００１８】
好ましくは、本多層防水シートにおいて、更に、粘着剤２は、アクリル系粘着剤を含有し、塗布量として、２５〜７５［ｇ／ｍ２］であることを特徴とする。このように構成された多層防水シートによれば、粘着剤２としてアクリル系粘着剤を使用しているので、熱による軟化の程度がブチルゴムやポリイソブチレンと比較して小さく、また粘性が適度に存在して、併せて折り曲げ加工の際に生じるエラストマーシート１とアルミ箔３の二層間に起こる応力を緩和して多層防水シートの折り曲げ加工を容易にする。更に、粘着剤２としてアクリル系粘着剤を使用すると、ブチル等のゴム系粘着剤の粘性と比較して粘性が小さく、汎用のラミネート加工装置が使用でき、製造装置選択の範囲が広くなる。
【００１９】
好ましくは、本多層防水シートにおいて、更に、アルミ箔３は、厚みが３０μｍ〜１２０μｍであることを特徴とする。アルミ箔３の厚みは、貼り合せられるエラストマーシート１の厚さと熱収縮力、作業者が多層防水シートを屋根材の凹凸に対応できるように変形する場合の作業性、並びに多層防水シートを製造するために用いる織り機の能力により定まる。そして、これら三要件を充足するアルミ箔３の厚さとしては、３０μｍ〜１２０μｍが好ましい。
【００２０】
好ましくは、本多層防水シートにおいて、更に、樹脂系塗料４としては、エポキシ樹脂系、アミノ樹脂系、メラミン樹脂系の少なくとも一類型の樹脂系を含有し、かつ当該樹脂系塗料の塗布厚が０．５μｍ〜５μｍであることを特徴とする。このように構成された多層防水シート５によれば、エポキシ樹脂系、アミノ樹脂系、メラミン樹脂系の少なくとも一類型の樹脂系を含有した樹脂系塗料４をコーティングしているので、耐久性や耐食性を向上させるという通常の目的を達成すると共に、当該多層防水シートを被覆対象となる屋根形状や壁際形状に適合させて、多層防水シート５を極端に変形させても、アルミ箔３が破れてしまうことを防止でき、防水性が高まる。
【００２１】
好ましくは、本多層防水シートにおいて、アルミ箔３の厚さは、エラストマーシート１の熱収縮性による多層防水シート５の変形を防止して、多層防水シート５の形状を維持できるように定め、粘着剤２の厚さは、多層防水シート５を折り曲げた際にエラストマーシート１とアルミ箔３との間に生じる応力が緩和されるように定め、樹脂系塗料４の厚さは、多層防水シート５を突端を有する形状に折り曲げた際にもアルミ箔３が破れることを防止できるように定めたことを特徴とする。
【００２２】
上記課題を解決する本発明に用いられる多層防水シートは、例えば図１に示すように、被覆対象となる屋根形状に適合する被覆状態での形状を、常温環境において保形する施工時保形手段と、前記被覆状態での形状を、常温環境において自然架橋により形状を記憶する長期保形手段とを備えるものである。典型的には、施工時保形手段としては、アルミ箔が用いられる。長期保形手段としては、未架橋クロロスルフォン化ポリエチレンを用いるとよい。未架橋クロロスルフォン化ポリエチレンは、自然界で自然架橋するクロロスルフォン化ポリエチレンであるため、本発明の多層防水シート５のアルミ箔の表面側に貼り合わせているので、当該多層防水シートを被覆対象となる屋根形状や壁際形状に適合させて、多層防水シートを変形させても、その後の自然架橋の過程でその変形された状態で固化するため、保形性が維持できる。
【００２３】
ここで、常温環境とは特段の加熱や冷却を施工時に行わないことをいい、春秋のような人にとって快適な環境に加えて、冬季や夏季のような自然状態で出現する環境も含まれる。自然架橋とは、太陽光と大気による自然環境の下の温度と水分により架橋が進行する状態をいう。ここで、架橋とは主に高分子化学においてポリマー同士を連結し、物理的、化学的性質を変化させる反応のことで、架橋反応の一種には加硫がある。ここで加硫とは、ゴム系の原材料を加工する際に、弾性や強度を確保するために、硫黄などを加える工程のことである。
【００２４】
上記課題を解決する本発明に用いられる屋根用防水シートは、例えば図２（ｂ）に示すように、多層防水シート５の長手方向の途中に該長手方向と直交する横手方向にわたって横手方向折返し重合せ部Ｔを形成し、該長手方向にわたって長手方向折返し重合せ部Ｌを形成した二方向折り重ね状態とする。そして、例えば当該二方向折り重ね状態の屋根用防水シート１０を、例えば図３に示すように構成することで、長手方向に加えて横手方向にも延伸性を有する壁際用防水シート４０を形成するための部材として利用できる。
【００２５】
本屋根用防水シートによれば、当該二方向折り重ね状態の屋根用防水シート１０としているので、横手方向折返し重合せ部Ｔを延伸することで、屋根材の凹凸に対応し、長手方向折返し重合せ部Ｌを延伸することで、屋根材の凹凸への対応だけでなく、水返しの役目も果たす。また、作業者にとっても、横手方向への薄手のエラストマーシート１の弾性とアルミ箔３の保形性を有するシートのため、手に馴染みやすいため、施工不良が起き難く、施工時間の短縮につながる。
【００２６】
好ましくは、本屋根用防水シートにおいて、更に、横手方向折返し重合せ部Ｔを所定の間隔を隔てて設けたことを特徴とする。このように構成された屋根用防水シート１０によれば、屋根材の凹凸に沿うように、横手方向折返し重合せ部Ｔを延伸させることで、隙間なく屋根材に接着できると共に、所定の間隔を隔てて横手方向折返し重合せ部Ｔを設けることで、延伸させることがなく余剰となる横手方向折返し重合せ部Ｔの範囲が少なくなり、屋根用防水シート１０の利用効率が高まる。
【００２７】
好ましくは、本屋根用防水シートにおいて、例えば図３に示すように、更に、樹脂系塗料の表面の少なくとも一部に、長手方向にわたって剥離紙４６、４８が付いた粘着テープ４５、４７を装着したことを特徴とする。このように構成された屋根用防水シート１０によれば、粘着テープ４５、４７の剥離紙４６、４８を装着することで、ロール状に丸めることができる。また、屋根用防水シート１０を屋根材５２や壁材５１にステープル等で仮止め後、剥離紙４６、４８を剥がしながら屋根用防水シートの長手方向の裾部を押し下げることができ、施工の省力化ができる。
【００２８】
好ましくは、本屋根用防水シートにおいて、更に、施工前の製品形状としてロール状に巻いたことを特徴とする。このように構成された屋根用防水シート１０によれば、ロール状に巻いたことで、屋根用防水シート１０の物流や屋根の上での持ち運びが容易となる。
【００２９】
上記課題を解決する第一の発明の第一類型発明である壁際用防水シートは、例えば図３に示すように、耐引き裂き性と熱収縮性を有するエラストマーシート１を、粘着剤２を用いてアルミ箔３の表面側に貼り合わせ、該アルミ箔３の裏面側に、樹脂系塗料４をコーティングした多層防水シート５を用いる壁際用防水シート４０であって、長手方向の延伸性が１２５％〜１７５％であり、横手方向の延伸長さが１０ｍｍ〜８０ｍｍであることを特徴とする。
【００３０】
このように構成された壁際用防水シート４０によれば、例えば図３・図６に示すように、長手方向への延伸について、壁面５１の幅方向の長さを１００とすると、屋根材の凹凸を考慮した表面長さは１４５であるため、これ以上の延伸率を確保すれば施工できるのだが、凹凸の少ない屋根材は、１２５でもよい。これにより、無駄な材料コストを抑えることができる。また、横方向への延伸について、延伸後の裾部４４が雨押え板金５６よりも出ないことが必要であるため、延伸幅は１０ｍｍ〜８０ｍｍを確保すれば足りるため、無駄な材料コストを抑えることができる。
【００３１】
上記課題を解決する第一の発明の第二類型発明である壁際用防水シートは、例えば図３に示すように、耐引き裂き性と熱収縮性を有するエラストマーシート１を、粘着剤２を用いてアルミ箔３の表面側に貼り合わせ、該アルミ箔３の裏面側に、樹脂系塗料４をコーティングした多層防水シート５を用いる壁際用防水シート４０であって、長手方向の中央付近に、長手方向に折り目部４９を設けたことを特徴とする。このように構成された壁際用防水シート４０によれば、壁際形状に適合するように折り目部４９を所定の角度だけ開いて、さらに長手方向折返し重合せ部Ｌを延伸させることで、屋根材５２の谷部Ｇにも粘着テープ４７を接着することができる。
【００３２】
好ましくは、本第一の発明の第二類型発明の壁際用防水シートにおいて、例えば図４・図６・図１１に示すように、更に、長手方向の折り目部４９からみて、屋根材５２に接着する裾部側について、長手方向折返し重合せ部Ｌを延伸させない状態の横手方向の長さが７０mm〜１２０mmであるとよい。壁際用防水シート４０の裾部４４は、雨押え板金５６の裾部より長くすると、壁際用防水シートの裾部４４が雨押え板金５６の裾部からはみ出してしまい、意匠性が損なわれてしまう。実際の雨押え板金５６の裾部の横手方向の長さは、９０ｍｍ〜１２０ｍｍであるため、特に長手方向折返し重合せ部Ｌを延伸させない状態の横手方向の長さは、９０ｍｍ〜１００ｍｍであることが好ましい。これにより、壁際用防水シートの裾部４４が、雨押え板金５６の裾部よりはみ出すことがなく、意匠性を損なわない。
【００３３】
上記課題を解決する第一の発明の第三類型発明である壁際用防水シートは、例えば図３・図９に示すように、耐引き裂き性と熱収縮性を有するエラストマーシート１を、粘着剤２を用いてアルミ箔３の表面側に貼り合わせ、該アルミ箔３の裏面側に、樹脂系塗料４をコーティングした多層防水シート５であって、多層防水シート５の長手方向の途中に該長手方向と直交する横手方向にわたって横手方向折返し重合せ部Ｔを形成し、該長手方向にわたって長手方向折返し重合せ部Ｌを形成した屋根用防水シート１０を用いてなる壁際用防水シート４０であって、壁際用防水シート４０の長手方向折返し重合せ部Ｌは、壁際一段目の瓦５２と壁面５１との間隔（ｄ）が開いている場合に、間隔ｄに対応して長手方向折返し重合せ部Ｌを展開して施工することにより、間隔ｄを壁際用防水シート４０によって被覆できるように構成したことを特徴とする。
【００３４】
上記課題を解決する第二の発明である壁際用防水シートの設置方法は、例えば図３・図４・図５に示すように、耐引き裂き性と熱収縮性を有するエラストマーシート１を、粘着剤２を用いてアルミ箔３の表面側に貼り合わせ、該アルミ箔３の裏面側に、樹脂系塗料４をコーティングした多層防水シート５であって、多層防水シート５の長手方向の途中に該長手方向と直交する横手方向にわたって横手方向折返し重合せ部Ｔを形成し、該長手方向にわたって長手方向折返し重合せ部Ｌを形成した屋根用防水シート１０を用いてなる壁際用防水シート４０の設置方法であって、壁際用防水シート４０の設置される壁際５１には、屋根面５２と壁面５１の近傍に薄板木材（笠木５４）とＬ字形板金（雨押え板金５６）が設けられる壁際において、壁際用防水シート４０の中央部から横手方向の一方を壁面５１に固定する工程（ステップ３００）と、壁際用防水シート４０の横手方向の他方をなす裾部側を、屋根面５２と壁面５１の接線から所定距離、例えば７〜１２ｃｍ、離れた壁際１段目の屋根材５２に粘着テープ４７で接着する工程（ステップ３０２）と、当該裾部側の上に薄板木材（笠木５４）をビスで固定する工程（ステップ３０４）と、壁際用防水シート４０と薄板木材（笠木５４）をＬ字形板金（雨押え板金５６）が覆う状態で施工する工程（ステップ３０８）とを有することを特徴とする。
【００３５】
上記課題を解決する第二の発明である壁際用防水シートの設置方法は、例えば図３・図６・図７に示すように、耐引き裂き性と熱収縮性を有するエラストマーシート１を、粘着剤２を用いてアルミ箔３の表面側に貼り合わせ、該アルミ箔３の裏面側に、樹脂系塗料４をコーティングした多層防水シート５であって、多層防水シート５の長手方向の途中に該長手方向と直交する横手方向にわたって横手方向折返し重合せ部Ｔを形成し、該長手方向にわたって長手方向折返し重合せ部Ｌを形成した屋根用防水シート１０を用いてなる壁際用防水シート４０の設置方法であって、壁際用防水シート４０の長手方向の中央部にある折り目部４９に沿って、「く」の字形に屈折させる工程（ステップ４００）と、折り目部４９を屋根面５２と壁面５１の接線に沿って長手方向に設置する工程（ステップ４０２）と、壁際用防水シート４０の壁面側の剥離紙４６を剥がして粘着テープ４５で壁面５１に接着する工程（ステップ４０４）と、壁際用防水シート４０の裾部側の剥離紙４８を剥がして粘着テープ４７で屋根材５２の山部Ｈに接着する工程（ステップ４０６）と、屋根材５２の谷部Ｇは、長手方向折返し重合せ部Ｌを、裾部４４を雨押え板金５６の内側に納まるように横手方向に延伸させながら屋根材５２の谷部Ｇに沿うように長手方向に延伸させながら接着する工程（ステップ４０８）とを有することを特徴とする。
【００３６】
上記課題を解決する第二の発明である壁際用防水シートの設置方法は、例えば図３・図６・図８に示すように、耐引き裂き性と熱収縮性を有するエラストマーシート１を、粘着剤２を用いてアルミ箔３の表面側に貼り合わせ、該アルミ箔３の裏面側に、樹脂系塗料４をコーティングした多層防水シート５であって、多層防水シート５の長手方向の途中に該長手方向と直交する横手方向にわたって横手方向折返し重合せ部Ｔを形成し、該長手方向にわたって長手方向折返し重合せ部Ｌを形成した屋根用防水シート１０を用いてなる壁際用防水シート４０の設置方法であって、壁際用防水シート４０の長手方向の中央部にある折り目部４９に沿って、「く」の字形に屈折させる工程（ステップ４００）と、折り目部４９を屋根面５２と壁面５１の接線に沿って長手方向に設置する工程（ステップ４０２）と、壁際用防水シート４０の裾部側の剥離紙４８を剥がして粘着テープ４７で屋根材５２の山部Ｈに接着する工程（ステップ４１０）と、屋根材５２の谷部Ｇは、長手方向折返し重合せ部Ｌを、裾部４４を雨押え板金５６の内側に納まるように横手方向に延伸させながら屋根材５２の谷部Ｇに沿うように長手方向に延伸させながら接着する工程（ステップ４１２）と、壁際用防水シート４０の壁面側の剥離紙４６を剥がして粘着テープ４５で壁面５１に接着する工程と（ステップ４１４）を有することを特徴とする。
【００３７】
上記課題を解決する第二の発明である壁際用防水シートの設置方法は、例えば図３・図９・図１０に示すように、耐引き裂き性と熱収縮性を有するエラストマーシート１を、粘着剤２を用いてアルミ箔３の表面側に貼り合わせ、該アルミ箔３の裏面側に、樹脂系塗料４をコーティングした多層防水シート５であって、当該多層防水シートの長手方向の途中に該長手方向と直交する横手方向にわたって横手方向折返し重合せ部を形成し、該長手方向にわたって長手方向折返し重合せ部を形成した屋根用防水シートを用いてなる壁際用防水シートであって、当該壁際用防水シートの設置される壁際には、屋根面と壁面の近傍に薄板木材（笠木５４）、面戸形板金板５７、並びにＬ字形板金（雨押え板金５６）が設けられる壁際において、壁際用防水シート４０の中央部から横手方向の一方の縁部を壁面５１に固定する工程（ステップ５００）と、壁際用防水シート４０の横手方向の他方をなす裾部側は、屋根面５２と壁面５１の接線から所定距離、例えば７〜１２ｃｍ、離れた壁際１段目の屋根材５２に粘着テープ４７で接着する工程（ステップ５０２）と、当該裾部側の上に薄板木材（笠木５４）をビスで固定する工程（ステップ５０４）と、屋根材の凹部の隙間を覆う面戸形板金５７を薄板木材（笠木５４）に仮固定する工程（ステップ５０６）と、壁際用防水シートと薄板木材（笠木５４）をＬ字形板金（雨押え板金５６）が覆う状態で施工する工程（ステップ５０８）とを有することを特徴とする。
【発明の効果】
【００３８】
本発明の前提をなす、本多層防水シートによる効果を説明する。
（１）本多層防水シートによれば、耐引き裂き性と熱収縮性を有するエラストマーシートを、粘着剤を用いてアルミ箔の表面側に貼り合わせ、該アルミ箔の裏面側に、樹脂系塗料をコーティングので、エラストマーシート・アルミ箔・粘着剤・樹脂系塗料の四層構造により、折り曲げ加工性と耐久性も併せ持つ。従って、本多層防水シートを屋根用防水シートとして使用する場合の効果として、様々な意匠の屋根材や屋根勾配が類型的に存在する建築物において、屋根の棟や壁際への防水シートの設置が現場設置形状に適合するように、容易に施工できる屋根用防水シートに用いて好適である。
【００３９】
（２）本多層防水シートによれば、多層防水シートを屋根用防水シートとして使用する場合の効果として、エラストマーシートとして、耐候性を有するクロロスルフォン化ポリエチレンを使用しているので、耐久性を求められる建築資材でも、エラストマーシート自身の厚さを例えば０．１５ｍｍ〜０．４５ｍｍの範囲とすることができる。このエラストマーシート自身の厚さは、現場での施工作業性を阻害しない程度の薄さとなっている。
（３）本多層防水シートによれば、自然架橋により形状を記憶するので、製品成形時はアルミ箔の保形性により形状を保持し、製品成形後、常温環境においてエラストマーシートの自然架橋に伴い、形状を記憶することになる。このような多層防水シートが形状記憶特性を有することは、様々な意匠の屋根材や屋根勾配が類型的に存在する建築物において、屋根の棟や壁際への防水シートの設置が現場設置形状に適合するように、容易に施工できる屋根用防水シートに用いて好適である。
【００４０】
本屋根用防水シート並びに第一の発明の壁際用防水シートによれば、以下の効果がある。
（ａ）  屋根用防水シートと壁際用防水シートは、軽量であり作業者の熟練度や技術に依らずに使用できる。
（ｂ）  本屋根用防水シートに、クロロスルフォン化ポリエチレンシートを用いると、壁際用防水シートの表面が耐摩耗性や耐引き裂き性に優れるクロロスルフォン化ポリエチレンシートで覆われているため、屋根用防水シートや壁際用防水シートに対する鳥害の恐れがない。
（ｃ）  屋根用防水シートと壁際用防水シートには、長手方向折返し重合せ部Ｌを設けてあるため、壁際用防水シートを壁際等の屋根に設置する場合にも、幅手方向又は高さ方向にも延伸ができる。
（d）  本屋根用防水シートの総厚は、例えば０．４ｍｍ〜０．５ｍｍのように柔軟性が確保できる程度の厚さとなると共に、横手方向折返し重合せ部Ｔの間隔が狭いため、屋根材の様々な凹凸形状に対して、作業者の現場での設置作業において、屋根用防水シートの手加工で形状を変形させることで自在に対応できる。
（ｅ）  本屋根用防水シートと壁際用防水シートに、クロロスルフォン化ポリエチレンシート１を使用すると、従来の粘着テープの接着力とアルミ箔の保形性との協働関係に起因する、経年変化による屋根材からの剥離を抑えることができる。
【００４１】
第一の発明の壁際用防水シートによれば、長手方向に折り目部を設けているので、次の効果がある。従来の施工では、壁際に最も近い一段目の屋根材を敷設後、壁面と屋根面の接線から屋根面に沿って垂直の方向に所定の距離、例えば約９０ｍｍ、の位置に、長手方向にわたって施工の基準線となる墨打ちを行い、これを基準に施工する必要があった。これに対して、本発明の壁際用防水シートでは、裾部から横手方向に所定の距離、例えば請求項３に記載の範囲である９０ｍｍ、の位置に、長手方向に向かって折り目部が設けられている。そこで、本発明の壁際用防水シートでは、折り目部に沿って「く」の字形に屈折させ、折り目部を屋根面と壁面の接線に沿って長手方向に設置しても、雨押え板金の裾部をはみ出すことはない。そこで、従来施工時に必要とされていた、墨打ち作業が不要となり、施工効率が向上する。
【００４２】
第二の発明である壁際用防水シートの設置方法に用いる壁際用防水シートでは、横手方向折返し重合せ部Ｔと長手方向折返し重合せ部Ｌを有している。そして、横手方向折返し重合せ部Ｔを延伸することで、屋根材の凹凸に隙間なく延伸でき、長手方向折返し重合せ部Ｌが、水返しとして効果を発揮する。そこで、ビス穴からの漏水が防止できると共に、波型屋根材の谷部Ｇのビス穴からの漏水が防止でき、また壁際用防水シートの粘着テープが屋根材に対して完全に貼ることが困難なため隙間が生じることを防止できる。特に、実際の施工現場では、壁際一段目の屋根材が壁面から離れている場合が多いが、横手方向に裾部を延伸することができるため、屋根材の谷部Ｇにも壁際用防水シートの粘着テープを屋根材に対して完全に貼ることができる。また、壁際用防水シートの裾部が、雨押え板金からはみ出さないため、意匠性を損なうことがない。
【００４３】
第二の発明である壁際用防水シートの設置方法によれば、従来の施工では、特に凹凸が大きい屋根材の谷部Ｇでは、貫板と屋根材の谷部Ｇに取り付けた壁際用防水シートの裾部とのあいだに開口部が生じてしまう。この開口部に対して、屋根材の形状に合った面戸形板金板を取り付けることで、意匠上の問題だけではなく、当該開口部に風が吹き込むことや鳥の巣となることを防止できる。
【発明を実施するための最良の形態】
【００４４】
以下、図面によって本発明の実施の形態について説明する。まず、本発明の壁際用防水シートに用いて好適な多層防水シートを説明する。
図１は、本発明の壁際用防水シートに用いて好適な多層防水シートを説明する構成図である。図において、多層防水シート５は、エラストマーシート１、粘着剤２、アルミ箔３、樹脂系塗料４の四層構造になっている。ここで、エラストマーシート１に用いられるエラストマーには、熱可塑性エラストマー、架橋ゴム、未架橋ゴムが含まれる。エラストマーは、ＪＩＳＫ６４１８に用語の定義があり、弾性ポリマー（Ｅｌａｓｔｉｃ  Ｐｏｌｙｍｅｒ）の一種である。分子間を共有結合で結合し、三次元網目構造（Ｎｅｔｗｏｒｋ  Ｓｔｒｕｃｔｕｒｅ）を形成する高分子は、ガラス転移温度Ｔｇ以上ではゴム弾性という性質を示す。ゴムの弾性は、本来規則構造を持たない分子の配列が、外部からの力により規則性になり、これが元の不規則な配列に戻ろうとするときの力によるもので、熱力学的には応力によるエントロピーの低下（ギブス自由エネルギーの増加）が元に戻ろうとする力による弾性であるから、エントロピー弾性とも呼ばれる。
【００４５】
そして、多層防水シート５におけるエラストマーシート１には、自然架橋のクロロスルフォン化ポリエチレンを用いることが好ましい。特に、自然架橋タイプを用いることで、架橋工程を省くことができ、成形後、常温状態で形状を記憶するシートとなる。クロロスルフォン化ポリエチレンシート１は、０．１５ｍｍ〜０．４５ｍｍ、特に好ましくは、０．３ｍｍ、という薄手の状態であることが好ましい。ここで、クロロスルフォン化ポリエチレンとは、クロロスルホン化ポリエチレンを主成分とする配合物で、クロロスルホン化ポリエチレン以外に、タルク、炭カル、シリカ、カーボンなどの無機物、芳香族プロセスオイル、塩素化パラフィンなどの可塑剤、ポリエチレンワックスなどの加工助剤を必要に応じて添加することができる。また、自然環境下での架橋状態を調整するために、酸化マグネシウム、リサージ、硫黄、エポキシなど、クロロスルホン化ポリエチレンの架橋に使用される一般的な架橋剤、もしくは架橋助剤を必要に応じて添加することもできる。さらに、ゴム成分として、主成分のクロロスルホン化ポリエチレン以外のゴム成分として、天然ゴム、スチレン・ブタジエンゴム、ブタジエンゴム、エチレン・プロピレン・ジエンゴム、クロロプレンゴム、ブチルゴム、二トリルゴム、ウレタンゴムなどを必要に応じて添加することができる。また、ゴム成分以外にも、ポリエチレン、ポリプロピレン、ポリエステル樹脂、ポリカーボネート、アクリロ二トリルスチレンブタジエン共重合体、アクリル、エチレン酢酸ビニル（ＥＶＡ)などの樹脂成分、さらには、ナイロン、ポリエステルなどを主成分とする繊維を必要に応じて添加することもできる。
【００４６】
粘着剤２は、エラストマーシート１とアルミ箔３の二層間の接着に用いられる。粘着剤２により、二層間に起こる折り返した部位の応力を緩和でき、より折り曲げ加工性に富むシートが得られる。粘着剤２には、特にアクリル系粘着剤２が好ましい。これに対して、ブチルゴムやポリイソブチレンなどでは、加熱時に軟化してしまうため、エラストマーシート１が熱収縮した場合に、アルミ箔上３に固着しておくことができなくなるという不都合を生じる。
【００４７】
また、エラストマーシート１とアルミ箔３を積層させる工程についても、アクリル粘着剤２は、ブチルゴムやポリイソブチレンなどのゴム系粘着剤と比較すると、粘性が低いためラミネート加工装置が使用でき、加工速度も１０［ｋｍ／ｈ］以上で貼り合わせ加工ができ、加工コストを低減できる。
【００４８】
アルミ箔３は、作業者が手加工により成形するため、軟質アルミニウムであり、厚みが３０μｍ〜９０μｍ（好ましくは４０μｍ）程度が好ましい。アルミ箔３の厚みは、貼り合せられるエラストマーシート１の厚さと熱収縮力、作業者が多層防水シートを屋根材の凹凸に対応できるように変形する場合の作業性、並びに多層防水シートを製造するために用いる織り機の能力により定まる。そして、アルミ箔３の厚みの下限側は、次の三要件により定まる。
（ｉ）エラストマーシート１とアルミ箔３の貼り合わせ工程における巻き巣の発生頻度
（ｉｉ）アルミ箔３がエラストマーシート１を積層固定する力に対し、列理方向への熱収縮力が大きくなり、エラストマーシート１がアルミ箔３から剥離してしまうこと、
（ｉｉｉ）アルミ箔３が形状を保持する力に対し、列理方向への熱収縮力が大きくなり、アルミ箔３が表面側に丸まってしまうこと。
【００４９】
他方、アルミ箔の厚さの上限は、作業者が多層防水シートを手加工で屋根材の凹凸に対応できるように変形できる程度の低剛性が必要である。さらに、エラストマーシート１とアルミ箔３の厚さは、多層防水シートを製造するために用いる織り機で織ることができる剛性である必要がある。これら三要件を充足するアルミ箔３の厚さとしては、３０μｍ〜１２０μｍが好ましい（表１、表２、表３参照）。
【００５０】
樹脂系塗料４は、耐引裂性を考慮し、エポキシ樹脂系塗料の塗布厚を０．５μｍ〜５μｍ、好ましくは１μｍ〜４μｍ、特に好ましくは３μｍ程度を焼付け加工するのがよい。樹脂系塗料４は、耐久性や耐食性を向上させることを目的としてコーティングされるが、更にアルミ箔３の裏面への加工ついて、耐引裂性を考慮して定められる。耐引裂性の点は、図２（ｂ）を参照する関係で、該当箇所で詳細に説明する。
【００５１】
ここで、エラストマーシート１としてクロロスルフォン化ポリエチレンシートを用いた場合の、多層防水シート５の物性について説明する。まず、クロロスルフォン化ポリエチレンシートでは、熱可塑性を有する未架橋ゴムであるため、約７０℃以上の温度が加わると、シートの列理方向に大きく収縮が発生してしまう（表１参照）。このため、保形成を有するアルミ箔３に積層固定することが必要となる。
【００５２】
この際、より折り曲げ加工を容易にするため、粘着剤２がクロロスルフォン化ポリエチレンシート１とアルミ箔３との二層間の接着に用いられる。なお、粘着剤２は特にアクリル系粘着剤２が好ましい。これはブチルゴムやポリイソブチレンなどでは、クロロスルフォン化ポリエチレンと同様、熱により軟化してしまい、アルミ箔３上にクロロスルフォン化ポリエチレンシート１を固着させておくことができない場合があるだけでなく（表１参照）、ブチル等のゴム系粘着剤では粘性が高すぎて、二層の貼り合わせ工程に用いるラミネート加工装置が使用できず、貼り合わせコストが高くなる場合があるためである。
【００５３】
なお、クロロスルフォン化ポリエチレンシート１を厚くすると、貼り合わせ工程における巻き巣が起こりやすくなるだけでなく、アルミ箔３がクロロスルフォン化ポリエチレンシート１を積層固定する力（β）に対し、列理方向への熱収縮力（α）が大きくなり、クロロスルフォン化ポリエチレンシート１がアルミ箔３から剥離してしまうことや（表２参照）、アルミ箔３が形状を保持する力（γ）に対し、列理方向への熱収縮力（α）が大きくなり、アルミ箔３が表面側に丸まってしまう（表３参照）ため、注意が必要である。
【００５４】
クロロスルフォン化ポリエチレンシート１とアルミ箔３の厚さ決定は、熱収縮性の条件を満たし、且つ織り機で織ることができ、且つ作業者が手加工で屋根材の凹凸に対応できるアルミ箔３でなければならない。これらの熱収縮性に対する剛性、施工現場での作業性、製造効率の三要件を満たすアルミ箔３の厚さとしては、３０μｍ〜１２０μｍが好ましい。
【表１】
2010037736.tif 000003
【表２】
2010037736.tif 000004
【表３】
2010037736.tif 000005
【００５５】
続いて、本発明の壁際用防水シートに用いて好適な屋根用防水シートを説明する。図２は本発明の壁際用防水シートに用いて好適な屋根用防水シートの構成図で、図２（ａ）は屋根用防水シートについて図２（ｂ）のＡ−Ａ方向の断面図、図２（ｂ）は屋根用防水シートの構成斜視図である。
【００５６】
図において、屋根用防水シート１０は、多層防水シート５を例えば図２（ｂ）に示すように、この多層防水シート５の長手方向（Ｌｅｎｇｔｈ  ｄｉｒｅｃｔｉｏｎ）の途中に該長手方向と直交する横手方向（Ｔｒａｎｓｖｅｒｓｅ  ｄｉｒｅｃｔｉｏｎ）にわたって横手方向折返し重合せ部Ｔを形成し、該長手方向にわたって長手方向折返し重合せ部Ｌを形成した二方向折り重ね状態としている。
【００５７】
図２（ａ）、（ｂ）に示すように、横手方向折返し重合せ部Ｔの間隔Ｌｐは、屋根形状の凸凹形状の複雑さに対応するため、適宜に定める。また、横手方向折返し重合せ部Ｔが存在するため、屋根用防水シート１０は、上段屋根用防水シート部１０１、上段折曲げ部１０２、折返し屋根用防水シート部１０３、下段折曲げ部１０４、下段屋根用防水シート部１０５、連結屋根用防水シート部１０６を有している。そして、折返し屋根用防水シート部１０３を展開すると、上段屋根用防水シート部１０１と下段屋根用防水シート部１０５との間隔が、折返し屋根用防水シート部１０３の長手方向長さL１０３の二倍の範囲で調整できる。長手方向折返し重合せ部Ｌの間隔Ｌｐに適合するように、長手側折返し屋根用防水シート部１０３の長手方向長さL１０３と長手側連結屋根用防水シート部１０６の長手方向長さL１０６が定められる。
【００５８】
また、図２（ｂ）に示すように、長手方向折返し重合せ部Ｌが存在するため、屋根用防水シート１０は、長手延伸側上段屋根用防水シート部１２１、長手延伸側上段折曲げ部１２２、長手延伸側折返し屋根用防水シート部１２３、長手延伸側下段折曲げ部１２４、長手延伸側下段屋根用防水シート部１２５を有している。そして、長手延伸側折返し屋根用防水シート部１２３を展開すると、長手延伸側上段屋根用防水シート部１２１と長手延伸側下段屋根用防水シート部１２５との間隔が、長手延伸側折返し屋根用防水シート部１２３の横手方向長さＴ１２３の二倍の範囲で調整できる。
【００５９】
横手方向折返し重合せ部Ｔは、屋根材の凹凸に馴染ませるように貼り付けるため、横手方向折返し重合せ部Ｔを連続して設け、横手方向折返し重合せ部Ｔ同士の間隔Ｌｐと延伸率Ｅｘｐｔは、主に被覆対象となる屋根材の凹凸に応じた適宜の価とすることが好ましい。ここで、横手方向折返し重合せ部Ｔの延伸率Ｅｘｐｔは、例えば次式で定義することができる。
Ｅｘｐｔ＝（Ｌｐ＋２L１０３）／Ｌｐ                    （１）
【００６０】
長手方向折返し重合せ部Ｌは、主に被覆対象となる屋根材の段差のような凸凹形状に適合するように長手方向に延伸させるため、長手延伸側折返し屋根用防水シート部１２３を適宜の長さ確保することが好ましい。ここで、長手方向折返し重合せ部Ｌの延伸率Ｅｘｐｌは、例えば屋根用防水シート１０の横手方向の長さＴａｌｌを用いて次式で定義することができる。
Ｅｘｐｌ＝（Ｔａｌｌ＋２Ｔ１２３）／Ｔａｌｌ                （２）
【００６１】
本屋根用防水シートによれば、当該二方向折り重ね状態の多層防水シートを用いているので、横手方向折返し重合せ部Ｔを延伸することで、屋根材の凹凸に対応できると共に、長手方向折返し重合せ部Ｌを延伸することで、屋根材の段差への対応だけでなく、屋根材の段差による隙間に対して水返しの役目も果たす。また、作業者にとっても、横手方向への薄手のエラストマーシート１の弾性とアルミ箔３の保形性を有するシートのため、手に馴染みやすいため、施工不良が起き難く、施工時間の短縮につながる。
【００６２】
なお、本実施の形態においては、アルミ箔３の裏面への加工として樹脂系塗料４をコーティングする際に、特段の配慮をしている。即ち、図２（ｂ）に示すように、多層防水シート５を長手方向と横手方向の二方向で折畳み加工する場合、アルミ箔３に屈折に伴う応力が掛かり、長手方向折返し重合せ部Ｌと横手方向折返し重合せ部Ｔの接点でアルミ箔３が破れやすくなる。そこで、樹脂系塗料４の塗布により当該接点での応力を緩和して、アルミ箔３を破れにくくして、製品の歩留まり率を向上させている。アルミ箔３の当該接点での応力を緩和するため、塗布厚が０．５μｍ〜５μｍであることが望ましい。
【００６３】
また仮に、図２（ｂ）に示すような、長手方向折返し重合せ部Ｌと横手方向折返し重合せ部Ｔとの接点を起点として、仮にアルミ箔３に破れが生じた場合であっても、耐引き裂性に優れるクロロスルフォン化ポリエチレンシート１によって破れる領域の拡大を防止でき、破断の急速な拡大を防止できる。
【００６４】
続いて、本発明の壁際用防水シートを説明する。図３は、本発明にかかる壁際用防水シートの一実施の形態を説明する構成図で、（ａ）は上面から見た平面図、（ｂ）は図３（ａ）のｂ−ｂ方向から見た横手方向断面図、（ｃ）は下面から見た底面図、（ｄ）は図３（ａ）ｄ−ｄ方向から見た側面図である。二方向折り重ね状態の屋根用防水シート１０に用いる多層防水シート５には、横手方向折返し重合せ部Ｔと長手方向折返し重合せ部Ｌとを形成した二方向折り重ね状態のものを用いているので、壁際用防水シート４０は長手方向だけでなく横手方向にも延伸性を有する。
【００６５】
図において、壁際用防水シート４０は、屋根用防水シート１０を壁際用に適宜の形状にして用いると共に、粘着テープ（壁面側）４５、剥離紙（壁面側）４６、粘着テープ（裾部側）４７、剥離紙（裾部側）４８を有している。図３（ｂ）に示すように、壁際用防水シート４０は、折り目部４９を介して左右非対称の形状を有している。壁際用防水シート４０には、長手方向折返し重合せ部Ｌが折り目部４９の裾部側に一箇所設けられている。長手方向折返し重合せ部Ｌが存在するため、壁際用防水シート４０は、折り目部４０６を境界として壁当接側防水シート部４０７と屋根当接側防水シート部４０８とで構成される。屋根当接側防水シート部４０８は、上段壁際用防水シート部４０１、上段折曲げ部４０２、折返し壁際用防水シート部４０３、下段折曲げ部４０４、下段壁際用防水シート部４０５を有している。壁当接側防水シート部４０７は、上段壁際用防水シート部４０１と同等の部材が、折り目部４９から粘着テープ（壁面側）４５まで延ばされた部位である。
【００６６】
また、図３（ａ）、（ｃ）に示すように、折り目部４０６は、壁際用防水シート４０の上下両面に現れている。典型的な壁際用防水シート４０の形状は、横手方向に関しては、壁当接側防水シート部４０７に対応する、折り目部４９から粘着テープ（壁面側）４５までの長さＴＲと、屋根当接側防水シート部４０８に対応する折り目部４９から粘着テープ（裾部側）４７までの長さＴＬとを用いて、（ＴＲ＋ＴＬ）となっている。ここで、粘着テープ（裾部側）４７の幅Ｔ４７、粘着テープ（裾部側）４７から上段折曲げ部４０２までの間隔Ｔ４０２、上段折曲げ部４０２から下段折曲げ部４０４までの間隔、即ち大略折返し壁際用防水シート部４０３の幅Ｔ４０３，下段折曲げ部４０４から折り目部４９までの間隔Ｔ４０４を用いると、次式が成立する。
ＴＬ＝Ｔ４７＋Ｔ４０２＋Ｔ４０３＋Ｔ４０４        （３）
【００６７】
粘着テープ４５、４７は、材料としてブチルまたはＥＰＤＭが好ましい。粘着テープ４５、４７は、壁際用防水シートの長手方向の裾部４４と、この裾部４４と反対側の縁に位置する壁面側に、幅１０ｍｍ〜５０ｍｍ（好ましくは３０ｍｍ）装着することが好ましい。横手方向折返し重合せ部Ｔは、屋根材の凹凸に馴染ませるように貼り付けるため、折返し重合せ部Ｔを連続して設け、折返し重合せ部Ｔ同士の間隔Ｌｐは６ｍｍ〜１８ｍｍであり、延伸率Ｅｘｐｔが１４０％〜１６０％であることが好ましい。長手方向折返し重合せ部Ｌは、主に屋根材の谷部に沿うように長手方向に延伸させるため、折返し壁際用防水シート部４０３の横手方向の長さＴ４０３を２０ｍｍ〜４０ｍｍ確保することが好ましい。
【００６８】
本発明の壁際用防水シートによれば、屋根用防水シート１０を壁際用に適宜の形状に裁断しているので、横手方向折返し重合せ部Ｔを延伸することで、屋根材の凹凸に対応できると共に、長手方向折返し重合せ部Ｌを延伸することで、屋根材の段差への対応だけでなく、水返しの役目も果たす。また、作業者にとっても、横手方向への薄手のエラストマーシート１の弾性とアルミ箔３の保形性を有するシートのため、手に馴染みやすいため、施工不良の発生が防止でき、施工時間の短縮につながる。
【００６９】
図４は、平らな屋根材に対する壁際用防水シートの施工状態を説明する構成図で、（ａ）は比較例の要部構成断面図、（ｂ）は本発明の実施例の要部構成断面図である。図４（ａ）に示す比較例では、壁際用防水シート４０に長手方向折返し重合せ部Ｌがなく、雨水による漏水が壁際に発生した状態を説明している。図４（ｂ）に示す本発明の実施例では、壁際用防水シート４０に長手方向折返し重合せ部Ｌを設けた図で、雨水による漏水が壁際で防止できることを説明している。
【００７０】
図において、壁際用防水シート４０が装着される、屋根の壁際部５０には、壁面５１、屋根材５２、桟木５３、笠木５４、ビス５５、雨押え板金５６、面戸形板金５７、ルーフィング６０、スペース材６１、桟木６２、水切りテープ６３、野地板６４が設けられている。屋根の壁際部５０としては、例えば一部二階建て用住居における平屋部分と二階建て部分との接合部、窓の上側に設置される張り出し屋根部、天井窓と屋根材との境界部、暖炉等の煙突と屋根材との接合部等がある。
【００７１】
壁面５１は、屋根材５２が取付けられる壁体をいう。屋根材５２には、典型的には瓦やスレートを用いるが、瓦のような厚型の屋根材を用いるとよい。桟木５３は、屋根材５２をとめるときに使用する壁面５１側の部材で、風通しをよくするため材に直交して間に挟む小角材である。笠木５４は、仕上げた外壁の上端部から雨などの進入をふせぐために取り付ける部材で、笠木の材質としては、耐久性の高い金属板や屋根材と同質素材が用いられる。ビス５５は、桟木５３や笠木５４を壁面５１に固定するのに用いるもので、金属製の剛性が高く耐久性の高い材料が用いられる。雨押え板金５６は、屋根材５２と壁面５１との境界面から雨水が浸入しないように被覆する部材で、耐久性の高い金属板が用いられる。ルーフィング６０は、防水作用のあるシート状の部材で、屋根材５２が瓦の場合にはアスファルト系シートが用いられる。スペース材６１は、壁面５１とルーフィング６０並びに雨押え板金５６との間に設置されるもので、壁面５１に釘や接着剤等で固定される。桟木６２は、屋根材５２をとめるときに使用する野地板６４側の部材で、風通しをよくするため材に直交して間に挟む小角材である。水切りテープ６３は、桟木６２の下に垂直に設置する幅２０ｍｍ程度のテープ状のもので、桟木６２に雨水が溜まらず、流れ落ちる。野地板６４は、屋根瓦などを固定する屋根面の下地合板をいい、垂木の上に合板を張り、その上にルーフィング６０を施工してある。
【００７２】
このような平らな屋根材に対する壁際用防水シートの施工状態において、図４（ａ）に示す比較例では、壁際用防水シート４０に長手方向折返し重合せ部Ｌがなく、ビス５５による桟木５３や笠木５４を壁面５１に固定する作業の際に、ビス５５によって壁際用防水シート４０に穴が空いてしまい、この穴から雨水の漏水が生じる。壁際用防水シート４０は、笠木５４の下側に沿って設置されているが、笠木５４の下側と壁際用防水シート４０との間に生じた隙間から雨水が浸入して、ビス５５による穴から屋根材５２側への雨水の漏水が生じる。
【００７３】
これに対して、平らな屋根材に対する壁際用防水シートの施工状態において、図４（ｂ）に示す本発明の実施例では、壁際用防水シート４０に長手方向折返し重合せ部Ｌが水返しとして作用し、ビス５５による桟木５３や笠木５４を壁面５１に固定する作業の際に、ビス５５によって壁際用防水シート４０に穴が空いてしまっても、この穴からの雨水の漏水を防止できる。即ち、壁際用防水シート４０は、笠木５４の下側に沿って設置されているが、笠木５４の下側と壁際用防水シート４０との間に生じた隙間が、壁際用防水シート４０の長手方向折返し重合せ部Ｌの三層構造、即ち上段壁際用防水シート部４０１、折返し壁際用防水シート部４０３、下段壁際用防水シート部４０５、によって水返しとして作用し、雨水が浸入しても、ビス５５による穴まで雨水が侵入するのを防止して、屋根材５２側への雨水の漏水を阻止する。
【００７４】
続いて、図４（ｂ）の状態での壁際用防水シートの設置方法を説明する。図５は、平らな屋根材に対する壁際用防水シートの設置方法を説明する流れ図である。平らな屋根材では、壁際用防水シート４０の設置される壁際には、屋根面と壁面の近傍に薄板木材（笠木５４）とＬ字形板金（雨押え板金５６）が設けられている。まず、最初に、壁際用防水シート４０の中央部から横手方向の一方を壁面５１に固定する（ステップ３００）。次に、壁際用防水シート４０の横手方向の他方をなす裾部側を、屋根面５２と壁面５１の接線から所定距離、例えば７〜１２ｃｍ、離れた壁際１段目の屋根材５２に粘着テープ４７で接着する（ステップ３０２）。そして、当該裾部側の上に薄板木材（笠木５４）をビスで固定する（ステップ３０４）。最後に、壁際用防水シート４０と薄板木材（笠木５４）をＬ字形板金（雨押え板金５６）が覆う状態で施工する（ステップ３０８）。このようにして、壁際用防水シートの設置作業が終了する（ステップ３１０）。
【００７５】
図６は、波型屋根材に対する壁際用防水シートの施工状態を説明する構成図で、（ａ）は比較例の要部構成断面図、（ｂ）は本発明の実施品を用いた実施例の要部構成断面図である。図６（ａ）に示す比較例では、壁際用防水シート４０に長手方向折返し重合せ部Ｌがなく、裾部４４の粘着テープ４７が全面幅に亙って貼れずに浮き、屋根材５２を固定するファスナー穴から漏水する状態を説明している。図６（ｂ）に示す本発明の実施例では、壁際用防水シート４０に長手方向折返し重合せ部Ｌを設けた図で、裾部の粘着テープを全面幅に亙って貼ることができた状態を説明している。
【００７６】
図において、壁際用防水シート４０が装着される、屋根の壁際部５０には、壁面５１、屋根材５２、桟木５３、笠木５４、ビス５５、雨押え板金５６、面戸形板金５７が設けられている。なお、図６において、図４と同一作用をするものには同一符号を付して、説明を省略する。屋根材５２としては、例えば瓦のように凸凹曲面のある部材を用いる関係で、屋根材５２の谷部Ｇと、屋根材５２の山部Ｈが現れるため、壁際用防水シート４０も屋根材５２の谷部Ｇと山部Ｈで連続的に姿勢が変形するが、ここでは屋根材５２の谷部Ｇと山部Ｈの箇所を示している。
【００７７】
このような波型屋根材に対する壁際用防水シートの施工状態において、雨水による問題が生じるのは、屋根材５２の谷部Ｇである。屋根材５２の山部Ｈでは、雨水が低い屋根材５２の谷部Ｇに流れるため、壁際部５０での漏水の問題が生じにくい。そこで、屋根材５２の谷部Ｇについて検討すると、図６（ａ）に示す比較例では、壁際用防水シート４０に長手方向折返し重合せ部Ｌがなく、ビス５５による桟木５３や笠木５４を壁面５１に固定する作業の際に、ビス５５によって壁際用防水シート４０に穴が空いてしまい、この穴から雨水の漏水が生じる。壁際用防水シート４０は、笠木５４の下側に沿って設置されているが、笠木５４の下側と壁際用防水シート４０との間に生じた隙間から雨水が浸入して、ビス５５による穴から屋根材５２側への雨水の漏水が生じる。
【００７８】
これに対して、図６（ｂ）に示す本発明の実施例では、壁際用防水シート４０に長手方向折返し重合せ部Ｌが水返しとして作用し、ビス５５による桟木５３や笠木５４を壁面５１に固定する作業の際に、ビス５５によって壁際用防水シート４０に穴が空いてしまっても、この穴からの雨水の漏水を防止できる。即ち、壁際用防水シート４０は、笠木５４の下側に沿って設置されているが、笠木５４の下側と壁際用防水シート４０との間に生じた隙間が、壁際用防水シート４０の長手方向折返し重合せ部Ｌの三層構造、即ち上段壁際用防水シート部４０１、折返し壁際用防水シート部４０３、下段壁際用防水シート部４０５、が有効に作用して、展開した状態のよって長手方向折返し重合せ部Ｌが水返しとして作用し、雨水が浸入しても、ビス５５による穴まで雨水が侵入するのを防止して、屋根材５２側への雨水の漏水を阻止する。
【００７９】
図７は、屋根材に対する壁際用防水シートの施工手順を説明するフローチャートである。図において、まず、壁際用防水シート４０の長手方向へ伸びる折り目部４９に沿って、壁際用防水シート４０を「く」の字形に屈折させる（ステップ４００）。次に、折り目部４９を屋根面５２と壁面５１の接線に合わせるように設置する（ステップ４０２）。そして、壁際用防水シート４０の壁面側の剥離紙４６を剥がして粘着テープ４５で壁面５１に接着する（ステップ４０４）。また、壁際用防水シート４０の裾部４４の剥離紙４８を剥がし、粘着テープ４７を屋根材５２の山部Ｈに接着する（ステップ４０６）。このとき、屋根面への貼り付けについて、裾部４４の長手方向折返し重合せ部Ｌは、屈折させた状態のまま接着させれば、雨押え板金５６の内側の所定位置に貼り付けることができる。そして、屋根材５２の谷部Ｇは、長手方向折返し重合せ部Ｌを、裾部４４を雨押え板金５６の内側に納まるように横手方向に延伸させながら屋根材５２の谷部Ｇに沿うように長手方向に延伸させながら接着する（ステップ４０８）。このようにして、壁際用防水シートの設置作業が終了する（ステップ４１０）。このとき、図６に示すように、壁際用防水シート４０は、屋根材５２の山部Ｈや谷部Ｇの形状に適合させると共に、壁面５１の形状に適合させる必要がある。そこで、壁際用防水シート４０の横手方向折返し重合せ部Ｔに関しては、壁面５１のように平坦な場合では重ね合せた状態で装着し、屋根材５２の山部Ｈや谷部Ｇのように凸凹形状の場合は重ね合せた状態から展開状態にして、装着する。
【００８０】
図８は、屋根材に対する壁際用防水シートの他の施工手順を説明するフローチャートである。図において、まず、壁際用防水シート４０の長手方向の中央部にある折り目部４９に沿って、「く」の字形に屈折させる（ステップ４００）。次に、折り目部４９を屋根面５２と壁面５１の接線に沿って長手方向に設置する（ステップ４０２）。そして、壁際用防水シート４０の裾部側の剥離紙４８を剥がして粘着テープ４７で屋根材５２の山部Ｈに接着する（ステップ４１０）。そして、屋根材５２の谷部Ｇは、長手方向折返し重合せ部Ｌを、裾部４４を雨押え板金５６の内側に納まるように横手方向に延伸させながら屋根材５２の谷部Ｇに沿うように長手方向に延伸させながら接着する（ステップ４１２）。また、壁際用防水シート４０の壁面側の剥離紙４６を剥がして粘着テープ４５で壁面５１に接着する（ステップ４１４）。このようにして、壁際用防水シートの設置作業が終了する（ステップ４１６）。このとき、図６に示すように、壁際用防水シート４０は、屋根材５２の山部Ｈや谷部Ｇの形状に適合させると共に、壁面５１の形状に適合させる必要があるため、壁際用防水シート４０の横手方向折返し重合せ部Ｔの重ね合せ状態や展開状態を調整することは、図７のフローチャートと同様である。
【００８１】
図９は、壁際一段目の屋根材が壁面から離れている場合に対する壁際用防水シートの施工状態を説明する構成図で、（ａ）は比較例の要部構成断面図、（ｂ）は本発明の実施品を用いた実施例の要部構成断面図である。図９（ａ）に示す比較例では、壁際用防水シート４０に延び代がなく、裾部４４の粘着テープ４７が全面幅に亙って貼れず、接着面積が不足した状態を説明している。図９（ｂ）に示す本発明の実施例では、壁際用防水シート４０に長手方向折返し重合せ部Ｌが延び代として作用し、裾部４４の粘着テープ４７を全面幅に亙って貼れる状態を説明している。
【００８２】
図において、壁際用防水シート４０が装着される、屋根の壁際部５０には、壁面５１、屋根材５２、桟木５３、笠木５４、ビス５５、雨押え板金５６、面戸形板金５７が設けられている。なお、図９において、前記図４・図６と同一作用をするものには同一符号を付して、説明を省略する。ここでは、壁際一段目の屋根材５２が壁面５１から隙間をもって設置されている場合であるため、雨押え板金５６や面戸形板金５７によっても完全に当該隙間を補填できず、漏水しやすい類型といえる。このような隙間は、屋根材５２を構成する木材の変形などによって生じやすいが、壁際用防水シート４０によって隙間が欠陥とならずに治癒されて、漏水という建築物の重大な欠陥となる事態を防止できる。
【００８３】
このような壁際一段目の屋根材が壁面から離れている場合に対する壁際用防水シートの施工状態において、雨水による問題が生じるのは、屋根材５２の谷部Ｇである点は、波型屋根材と共通する。屋根材５２の山部Ｈでは、雨水が低い屋根材５２の谷部Ｇに流れるため、壁際部５０での漏水の問題が生じにくい。そこで、屋根材５２の谷部Ｇについて検討すると、図９（ａ）に示す比較例では、壁際用防水シート４０に長手方向折返し重合せ部Ｌがなく、ビス５５による桟木５３や笠木５４を壁面５１に固定する作業の際に、ビス５５によって壁際用防水シート４０に穴が空いてしまい、この穴から雨水の漏水が生じる。壁際用防水シート４０は、笠木５４の下側に沿って設置されているが、笠木５４の下側と壁際用防水シート４０との間に生じた隙間から雨水が浸入して、ビス５５による穴から屋根材５２側への雨水の漏水が生じる。
【００８４】
これに対して、図９（ｂ）に示す本発明の実施例では、壁際用防水シート４０に長手方向折返し重合せ部Ｌが水返しとして作用し、ビス５５による桟木５３や笠木５４を壁面５１に固定する作業の際に、ビス５５によって壁際用防水シート４０に穴が空いてしまっても、この穴からの雨水の漏水を防止できる。即ち、壁際用防水シート４０は、笠木５４の下側に沿って設置されているが、笠木５４の下側と壁際用防水シート４０との間に生じた隙間が、壁際用防水シート４０の長手方向折返し重合せ部Ｌの三層構造、即ち上段壁際用防水シート部４０１、折返し壁際用防水シート部４０３、下段壁際用防水シート部４０５、が有効に作用して、展開した状態のよって長手方向折返し重合せ部Ｌが水返しとして作用し、雨水が浸入しても、ビス５５による穴まで雨水が侵入するのを防止して、屋根材５２側への雨水の漏水を阻止する。
【００８５】
図１０は、壁際一段目の屋根材が壁面から離れている場合に対する壁際用防水シートの施工手順を説明するフローチャートである。壁際用防水シート４０の設置される壁際には、屋根面と壁面の近傍に薄板木材（笠木５４）、面戸形板金板、並びにＬ字形板金（雨押え板金５６）が設けられている。まず、壁際用防水シート４０の中央部から横手方向の一方の縁部を壁面５１に固定する（ステップ５００）。そして、壁際用防水シート４０の横手方向の他方をなす裾部側は、屋根面５２と壁面５１の接線から所定距離、例えば７〜１２ｃｍ、離れた壁際１段目の屋根材５２に粘着テープ４７で接着する（ステップ５０２）。次に、当該裾部側の上に薄板木材（笠木５４）をビスで固定する（ステップ５０４）。続いて、屋根材の凹部の隙間を覆う面戸形板金５７を薄板木材（笠木５４）に仮固定する工程（ステップ５０６）と、壁際用防水シートと薄板木材（笠木５４）をＬ字形板金（雨押え板金５６）が覆う状態で施工する工程（ステップ５０８）とを有することを特徴とする、壁際用防水シート。このようにして、壁際用防水シートの設置作業が終了する（ステップ５１０）。このとき、図９に示すように、壁際用防水シート４０は、屋根材５２の山部Ｈや谷部Ｇの形状に適合させると共に、壁面５１の形状に適合させる必要があるため、壁際用防水シート４０の横手方向折返し重合せ部Ｔの重ね合せ状態や展開状態を調整することは、図７のフローチャートと同様である。
【００８６】
図１１は、壁際用防水シートの設置状態を説明する側面断面図で、（Ａ）は桟木との位置関係、（Ｂ）は壁際に設置される状態での形状を説明している。桟木５３の壁部５１方向の厚さＴ５３は、例えば１０〜２０ｍｍ程度である。そこで、壁際用防水シート４０の上段壁際用防水シート部４０１の折返し壁際用防水シート部４０３との重なりがない領域の長さＴ４０４（＝Ｔ４０１−Ｔ４０３）は、桟木５３の壁部５１方向の厚さＴ５３よりも大きくする必要がある。そこで、典型的な数値は、図１１（Ｂ）に示すように、壁当接側防水シート部４０７に対応する、折り目部４９から粘着テープ（壁面側）４５までの長さＴＲは、４０ｍｍ〜２００ｍｍ、特に好ましくは９０ｍｍ程度にするのがよい。
【００８７】
また、屋根当接側防水シート部４０８に対応する折り目部４９から粘着テープ（裾部側）４７までの長さＴＬも、４０ｍｍ〜２００ｍｍ、特に好ましくは９０ｍｍ程度にするのがよい。ここで、下段折曲げ部４０４から折り目部４９までの間隔Ｔ４０４は、例えば３０ｍｍ程度、折返し壁際用防水シート部４０３の幅Ｔ４０３は、例えば２０ｍｍ程度、粘着テープ（裾部側）４７の縁から下段折曲げ部４０４までの間隔ＴＬ−Ｔ４０４は、例えば６０ｍｍ程度とするのがよい。
【００８８】
以上、添付図面を参照して、この発明の実施形態を説明したが、この発明はかかる実施形態に限定されるものではなく、特許請求の範囲の記載から把握される技術的範囲において種々の形態に変更可能である。例えば、上記実施例においては、屋根用防水シートの用途として壁際用防水シートを例示しているが、本発明はこれに限定されるものではなく、雨水が建築物に侵入しやすい箇所における雨止めシール材として利用できる。
【図面の簡単な説明】
【００８９】
【図１】本発明の壁際用防水シートに用いて好適な多層防水シートの拡大断面図である。
【図２】本発明の壁際用防水シートに用いて好適な屋根用防水シートの構成図で、（ａ）は屋根用防水シートについて（ｂ）のＡ−Ａ方向の断面図、（ｂ）は屋根用防水シートの構成斜視図である。
【図３】壁際用防水シートの一実施の形態を説明する構成図で、（ａ）は上面から見た平面図、（ｂ）は図３（ａ）のｂ−ｂ方向から見た横手方向断面図、（ｃ）は下面から見た底面図、（ｄ）は図３（ａ）ｄ−ｄ方向から見た側面図である。
【図４】平らな屋根材に対する壁際用防水シートの施工状態を説明する構成図で、（ａ）は比較例の要部構成断面図、（ｂ）は本発明の実施品を用いた実施例の要部構成断面図である。
【図５】平らな屋根材に対する壁際用防水シートの敷設方法を説明する流れ図である。
【図６】波型屋根材に対する壁際用防水シートの施工状態を説明する構成図で、（ａ）は比較例の要部構成断面図、（ｂ）は本発明の実施品を用いた実施例の要部構成断面図である。
【図７】波型屋根材に対する壁際用防水シートの敷設方法を説明する流れ図である。
【図８】波型屋根材に対する壁際用防水シートの敷設方法を説明する流れ図である。
【図９】壁際一段目の屋根材が壁面から離れている場合に対する壁際用防水シートの施工状態を説明する構成図で、（ａ）は比較例の要部構成断面図、（ｂ）は本発明の実施品を用いた実施例の要部構成断面図である。
【図１０】壁際一段目の屋根材が壁面から離れている場合に対する壁際用防水シートの敷設方法を説明する流れ図である。
【図１１】壁際用防水シートの設置状態を説明する側面断面図である。
【符号の説明】
【００９０】
１  エラストマーシート（クロロスルフォン化ポリエチレン）
２  粘着剤（アクリル樹脂系粘着剤）
３  アルミ箔
４  樹脂系塗料
５  多層防水シート
１０  屋根用防水シート
４０  壁際用防水シート
４４  裾部
４５  粘着テープ（壁面側）
４６  剥離紙（壁面側）
４７  粘着テープ（裾部側）
４８  剥離紙（裾部側）
４９  折り目部
５０  壁際部
５１  壁面
５２  屋根材（屋根面・瓦）
５３  桟木
５４  笠木（貫板・薄型木材）
５５  ビス
５６  雨押え板金（Ｌ字形板金）
５７  面戸形板金
Ｇ  屋根材の谷部
Ｈ  屋根材の山部
Ｌ．長手方向折返し重合せ部（Length direction）
Ｔ．横手方向折返し重合せ部（Transverse direction）
【図１】
2010037736.tif 000006
【図２】
2010037736.tif 000007
【図３】
2010037736.tif 000008
【図４】
2010037736.tif 000009
【図５】
2010037736.tif 000010
【図６】
2010037736.tif 000011
【図７】
2010037736.tif 000012
【図８】
2010037736.tif 000013
【図９】
2010037736.tif 000014
【図１０】
2010037736.tif 000015
【図１１】
2010037736.tif 000016